(57)【要約】【課題】メータの検査を容易、迅速かつ正確に行うことが可能な検査装置を提供する。【解決手段】通信を利用してガスメータ２を自動的に検査し、その検査結果を表示パネル２１に表示するように検査装置１００を構成する。この表示パネル２１に表示された検査結果を視認することにより、検査作業に従事する作業者がガスメータ２の稼働状況を把握した上で、ガスメータ２に適当な対処を施すことが可能になる。しかも、表示パネル２１に表示された検査結果を消費者に見せれば、その検査結果の内容を消費者に視覚的に伝えることも可能である。【選択図】    図１
2004279185.tif 000002
【特許請求の範囲】
【請求項１】
メータを検査するための検査装置であって、
前記メータと通信するための通信手段と、
この通信手段を介して前記メータを検査する検査手段と、
この検査手段による検査結果を含む情報を表示する表示手段とを備えたことを特徴とする検査装置。
【請求項２】
前記検査手段が、複数の検査項目に基づく検査を一括して行うことを特徴とする請求項１記載の検査装置。
【請求項３】
前記検査手段が、複数の検査項目のうち、指定された検査項目に基づく検査のみを選択的に行うことを特徴とする請求項１記載の検査装置。
【請求項４】
前記検査結果の中に、異常を示す検査結果が含まれているときに、
前記表示手段が、検査結果と共に、異常の状態およびその異常の推定要因を表示することを特徴とする請求項１ないし請求項３のいずれか１項に記載の検査装置。
【請求項５】
前記メータが、所定の設定情報に基づいて動作設定されており、
さらに、前記設定情報を読み出す読出手段を備え、
前記表示手段が、前記読出手段により読み出された前記設定情報を表示することを特徴とする請求項１ないし請求項４のいずれか１項に記載の検査装置。
【請求項６】
前記設定情報の中に、初期設定から変更された設定情報が含まれているときに、
前記表示手段が、前記初期設定から変更された設定情報のみを選択的に表示することを特徴とする請求項５記載の検査装置。
【請求項７】
さらに、前記検査手段が検査動作するためのプログラムを含む情報を記憶し、追記可能な記憶手段を備え、
この記憶手段が、着脱可能なものであることを特徴とする請求項１ないし請求項６のいずれか１項に記載の検査装置。
【請求項８】
さらに、前記表示手段に表示される情報に対応した音声ガイドを出力する音声出力手段を備えたことを特徴とする請求項１ないし請求項７のいずれか１項に記載の検査装置。
【請求項９】
さらに、電源を内蔵していることを特徴とする請求項１ないし請求項８のいずれか１項に記載の検査装置。
【請求項１０】
さらに、外部から電力を供給するための外部電力供給手段を備えたことを特徴とする請求項１ないし請求項８のいずれか１項に記載の検査装置。
【請求項１１】
前記メータとして、ガスメータを検査する
ことを特徴とする請求項１ないし請求項１０のいずれか１項に記載の検査装置。
【発明の詳細な説明】
【０００１】
【発明の属する技術分野】
本発明は、例えばガスメータなどのメータを検査するために使用される検査装置に関する。
【０００２】
【従来の技術】
近年、消費者による燃料用ガスの消費量を測定するために、各消費者宅ごとにガスメータが設置されている。ガス事業者は、一定期間ごとにガスメータからガスの消費量を検針することにより、その検針値に基づいてガスの使用料金を算定している。
【０００３】
従来のガスメータとしては、例えば、多彩な機能を実行するためのマイクロコンピュータ（以下、単に「マイコン」という。）を備えたマイコンメータが広く普及している。この種のガスメータとしては、例えば、外部と相互に通信可能な通信機能を有するものが知られている。
【０００４】
ガスメータと通信するための外部装置としては、例えば、ガスメータを操作するために利用されるリモコン装置（例えば、特許文献１参照。）や、ガスメータに記憶されている設定情報を読み出したり、あるいはその設定情報を書き換えるために利用される設定装置などが知られている（例えば、特許文献２参照。）。
【０００５】
【特許文献１】
特開平０４−０５１６９６号公報
【特許文献２】
特開平１１−１０８７２８号公報
【０００６】
【発明が解決しようとする課題】
ところで、各消費者宅に設置されているガスメータを運用するためには、例えば、必要に応じてガスメータを検査する必要がある。具体的には、例えば、ガスメータに実使用上の問題（例えば、遮断弁が駆動したことに伴うガス供給遮断）が生じた場合に、そのガスメータが故障したのか否かを判断した上で、修理や交換を要するものか否かを確認しなければならないケースがある。しかしながら、上記したリモコン装置や設定装置などの従来の外部装置では、ガスメータを操作したり、設定情報を書き換えることはできるが、ガスメータを検査することができないという問題があった。ガスメータに実使用上の問題が生じたために消費者から問い合わせを受けた際に、現場に赴いた作業員が容易、迅速かつ正確にガスメータを検査した上で復旧させる必要があるため、ガスメータの運用上、検査体制の確立は急務である。
【０００７】
本発明はかかる問題点に鑑みてなされたもので、その目的は、メータの検査を容易、迅速かつ正確に行うことが可能な検査装置を提供することにある。
【０００８】
【課題を解決するための手段】
本発明に係る検査装置は、メータを検査するためのものであり、メータと通信するための通信手段と、この通信手段を介してメータを検査する検査手段と、この検査手段による検査結果を含む情報を表示する表示手段とを備えるようにしたものである。
【０００９】
本発明に係る検査装置では、検査手段が通信手段を介して通信しながらメータを検査すると、表示手段が検査結果を含む情報を表示する。
【００１０】
【発明の実施の形態】
以下、本発明の実施の形態について、図面を参照して詳細に説明する。
【００１１】
まず、図１を参照して、本発明の一実施の形態に係る検査装置の構成について説明する。図１は、検査装置１００の外観構成を表している。
【００１２】
検査装置１００は、例えば、消費者宅１に設置されているガスメータ２と通信線２００を介して随時接続され、そのガスメータ２を検査するために使用されるものである。この検査装置１００は、例えばプラスチック製の筐体１０の内部に、後述する一連の機器が収納された構成を有している。この筐体１０の一面には、例えば、検査作業に関する情報を表示するための表示パネル２１と、検査作業を行うために使用される各種操作ボタン（カーソルボタン２２，実行ボタン２３，検査ボタン２４，読出ボタン２５，手動ボタン２６）と、音声出力用のスピーカ２７とが設けられている。また、筐体１０の他の一面には、後述するメモリ１５を装着するための装着口２８が設けられている。表示パネル２１は、例えば、液晶パネルにより構成されている。
【００１３】
次に、図１および図２を参照して、検査装置１００の詳細な構成について説明する。図２は、検査装置１００のブロック構成を表している。
【００１４】
検査装置１００は、例えば、筐体１０の内部に、マイコン１１と、メモリ１２と、通信インターフェース（Ｉ／Ｆ）１３と、バッテリ１４とを備えている。装着口２８には、検査動作用のプログラムＰを記憶したメモリ１５が装着されている。
【００１５】
マイコン１１は、メモリ１５に記憶されているプログラムＰに基づいて稼働し、作業者の操作に応じてガスメータ２と通信しながら検査処理を実行するものであり、例えば、ＣＰＵ（Ｃｅｎｔｒａｌ  Ｐｒｏｃｃｅｓｓｉｎｇ  Ｕｎｉｔ；中央演算処理装置）などの制御デバイスにより構成されている。このマイコン１１は、検査処理時に、作業者の操作に応じて検査処理に関する情報を表示パネル２１に表示すると共に、その表示パネル２１に表示される情報に対応した音声ガイドをスピーカ２７から出力するようになっている。このマイコン１１は、必要に応じて、検査処理上の情報をメモリ１２に記憶させる。
【００１６】
メモリ１２は、例えば、ＲＡＭ（Ｒａｎｄｏｍ  Ａｃｃｅｓｓ  Ｍｅｍｏｒｙ）などの内蔵型の記憶デバイスにより構成されており、検査日、検査結果および検査履歴などの情報を記憶するようになっている。
【００１７】
通信Ｉ／Ｆ１３は、外部通信用のインターフェースであり、ガスメータ２との通信時にマイコン１１により随時使用されるようになっている。
【００１８】
バッテリ１４は、例えば、充電式の電池や太陽電池などの内蔵型の電源により構成されている。
【００１９】
メモリ１５は、検査動作用のプログラムＰを記憶するものであり、例えば、コンパクトフラッシュ（登録商標）などの追記可能な記憶デバイスにより構成されている。このメモリ１５は、必要に応じて着脱可能になっている。
【００２０】
なお、消費者宅１に設置されているガスメータ２は、ガスの消費量を測定するものである。このガスメータ２は、所定の設定情報Ｆを記憶しており、この設定情報Ｆに基づいて動作設定されている。この「設定情報Ｆ」とは、例えば、ガスメータ２の動作機構を設定するための数値パラメータや機能パラメータなどである。この「数値パラメータ」としては、例えば、日付を設定するための日付情報や、時刻を設定するための時刻情報や、流量を測定する際に必要な単位体積当たりの信号パルス数を設定するためのパルス情報や、継続時間オーバー遮断機構に必要な継続時間を設定するための継続時間情報や、流量オーバー遮断機構に必要な上限流量を設定するための上限流量情報や、圧力オーバー遮断機構に必要な上限圧力を設定するための上限圧力情報などが挙げられる。継続時間オーバー遮断機構とは、ガスの消費時間が継続時間に到達したときにガス供給を自動的に遮断する機構であり、流量オーバー遮断機構または圧力オーバー遮断機構とは、ガスの流量や圧力が上限流量や上限圧力に到達したときにガス供給を自動的に遮断する機構である。また、「機能パラメータ」としては、例えば、内管漏洩の発生時に実行する処理内容を設定するための内管漏洩情報や、継続時間オーバー遮断機構の動作テーブルを設定するための継続時間テーブル情報や、感震時の遮断内容を設定するための感震遮断情報や、ガスの圧力低下時の遮断内容を設定するための圧力低下遮断情報などである。
【００２１】
次に、図１〜図１３を参照して、検査装置１００の動作について説明する。ここで、図３は検査装置１００の動作の流れを説明するためのものであり、図４〜図１３は検査装置１００の検査作業時に表示パネル２１に表示される表示画面の一例を表している。以下では、検査装置１００の検査時におけるマイコン１１の動作に言及するものとする。
【００２２】
この検査装置１００では、電源が投入されたのち、作業者により押された操作ボタン（検査ボタン２４，読出ボタン２５，手動ボタン２６）に応じて動作モードが選択される。
【００２３】
第１に、検査ボタン２４が押された場合には、「一括検査」を実行する。すなわち、通信Ｉ／Ｆ１３を介してガスメータ２と通信しながら、あらかじめ設定された複数の検査項目に基づく検査を一括して行ったのち（ステップＳ１０１）、その検査結果を表示パネル２１に表示しながら（ステップＳ１０２）、スピーカ２７から検査結果に対応した音声ガイドを出力する（ステップＳ１０３）。「複数の検査項目」とは、例えば、ガスメータ２に搭載されている流量センサ、圧力センサおよび遮断弁などの機器の作動状態である。一括検査では、一連の機器が順次試験的に作動されることにより、各機器の作動状態が検査される。この際、検査結果の中に異常を示す検査結果が含まれていない場合には、例えば、図４に示したように、検査結果の一覧を表示しながら、例えば「検査結果は全て正常です」などと音声ガイドを出力する。一方、検査結果の中に異常を示す検査結果が含まれている場合には、例えば、図５に示したように、検査結果の一覧と共に、異常の状態およびその異常の推定要因も併せて表示しながら、例えば「遮断弁に異常が発見されました」などと音声ガイドを出力する。図５に示した例では、例えば、遮断弁に関して異常が発見され、「異常の状態」として遮断弁が作動せず、「異常の推定要因」として遮断弁の作動機構が故障しているか、あるいは作動機構に異物が噛んでいることが確認される。なお、「異常の推定要因」は、機器の作動状態に関する異常の発生要因として過去に確認された情報に基づいて、推定されたものである。
【００２４】
第２に、読出ボタン２５が押された場合には、「設定情報の読み出し」を実行する。すなわち、ガスメータ２に記憶されている設定情報Ｆを読み出したのち（ステップＳ１０４）、その設定情報Ｆを表示パネル２１に表示しながら（ステップＳ１０５）、音声ガイドを出力する（ステップＳ１０６）。この際、数値パラメータに関して、設定情報Ｆの中に初期設定から変更された設定情報が含まれていない場合には、例えば、図６に示したように、設定情報Ｆの一覧を表示しながら、例えば「初期設定から変更された設定情報はありません」などと音声ガイドを出力する。一方、設定情報Ｆの中に初期設定から変更された設定情報が含まれている場合には、例えば、図７に示したように、初期設定から変更された設定情報のみを選択的に表示しながら、例えば「初期設定から変更された設定情報があります」などと音声ガイドを出力する。また、機能パラメータに関しても同様に、設定情報Ｆの中に初期設定から変更された設定情報が含まれていない場合には、例えば、図８に示したように、設定情報Ｆの一覧を表示しながら音声ガイドを出力し、一方、設定情報Ｆの中に初期設定から変更された設定情報が含まれている場合には、例えば、図９に示したように、初期設定から変更された設定情報のみを選択的に表示しながら音声ガイドを出力する。
【００２５】
第３に、手動ボタン２６が押された場合には、「手動検査」を実行する。すなわち、音声ガイドを出力しながら（ステップＳ１０７）、作業者が指定した検査項目のみを選択的に検査する。具体的には、まず、例えば、図１０に示したように、複数の検査項目を含む検査項目メニューを表示しながら（ステップＳ１０８）、例えば「検査項目を選択してください」などと音声ガイドを出力する。こののち、例えば、遮断弁の作動状態を選択的に検査するために、作業者がカーソルボタン２２を操作して画面中のカーソルＣを「３．遮断弁」に移動させたのちに実行ボタン２３を押すと、例えば、図１１に示したように、指定された検査項目を表示しながら（ステップＳ１０９）、例えば「遮断弁を作動させますか？」などと音声ガイドを出力する。こののち、遮断弁の作動状態の検査を実行するために、作業者がカーソルＣを「はい」に移動させたのちに実行ボタン２３を押すと、指定された遮断弁の作動状態を選択的に検査したのち（ステップＳ１１０）、検査結果を表示パネル２１に表示する（ステップＳ１１１）。この際、検査結果に異常がない場合には、例えば、図１２に示したように、遮断弁の作動状態が正常である旨を表示しながら、例えば「遮断弁は正常です」などと音声ガイドを出力する。この場合には、例えば、図１２に示したように、引き続き他の搭載機器（例えば圧力センサ）の作動状態の検査を促す旨も表示する。一方、検査結果に異常がある場合には、例えば、図１３に示したように、遮断弁に異常がある旨と共に、図５に示した場合と同様に異常の状態およびその異常の推定要因も併せて表示しながら、例えば「遮断弁に異常が発見されました」などと音声ガイドを出力する。
【００２６】
以上説明したように、本実施の形態に係る検査装置１００では、通信を利用してガスメータ２を自動的に検査し、その検査結果を表示パネル２１に表示するようにしたので、この表示パネル２１に表示された検査結果を視認することにより、検査作業に従事する作業者がガスメータ２の稼働状況を把握した上で、ガスメータ２に適当な対処を施すことが可能になる。具体的には、ガスメータ２の遮断弁が作動してガス供給が断されたために消費者から問い合わせを受けた際に、検査装置１００を使用してガスメータ２を検査した結果、例えば、図５に示したように、遮断弁の異常が発見された場合には、異常の推定要因を考慮してさらに詳細に検査した上で最終的に遮断弁が故障しているものと判断されれば、遮断弁の修理作業や交換作業を行えばよい。また、例えば、図４に示したように、遮断弁に異常が発見されず、図７に示したように、設定情報Ｆのうちの継続時間情報が何らかの理由で初期設定（例えば２時間）から短め（例えば３０分）に変更されていることを発見した場合には、遮断弁が故障していないものと判断した上で、継続時間を初期設定に戻すために設定情報Ｆの変更作業を行えばよい。もちろん、表示パネル２１に表示された検査結果を消費者に見せれば、その検査結果の内容を消費者に視覚的に伝えることも可能である。したがって、この検査装置１００を使用することにより、ガスメータ２の検査を容易、迅速かつ正確に行うことができる。
【００２７】
特に、本実施の形態では、検査ボタン２４の操作に応じて一括検査処理を実行するようにしたので、複数の検査項目に基づく検査が一括して自動的に行われる。したがって、複数の検査項目に基づく検査を個別に行う場合と比較して、ガスメータ２の検査をより容易かつ迅速に行うことができる。この場合には、特に、検査作業を熟知していない作業者でも、ガスメータ２の検査を容易に行うことができる。
【００２８】
また、本実施の形態では、読出ボタン２５の操作に応じてガスメータ２の設定情報Ｆの読み出し処理を実行し、その設定情報Ｆを表示パネル２１に表示するようにしたので、検査作業に従事する作業者がガスメータ２に記憶されている設定情報Ｆを容易かつ迅速に把握することができる。この場合には、特に、上記したように、設定情報Ｆが何らかの理由で初期設定から変更されていることに起因してガスメータ２に実使用上の不具合が生じていることを把握し、ガスメータ２が故障したものと誤認して不要な修理作業や交換作業を行うことを回避することができる。
【００２９】
また、本実施の形態では、設定情報Ｆの中に初期設定から変更された設定情報が含まれているときに、その初期設定から変更された設定情報のみを表示パネル２１に選択的に表示するようにしたので、ガスメータ２の実使用上の不具合を誘発し得る設定情報Ｆの変更を容易に把握することができる。
【００３０】
また、本実施の形態では、手動ボタン２６の操作に応じて手動検査処理を実行するようにしたので、複数の検査項目に基づく全ての検査が行われずに、特定の検査項目に基づく検査のみが選択的に行われる。したがって、複数の検査項目に基づく検査を一括して行う場合と比較して、所望の検査のみを選択的に行うことができる。この場合には、特に、検査作業を熟知している作業者が、過去の検査経験に基づいて指定した検査項目のみを検査することができる。
【００３１】
また、本実施の形態では、ガスメータ２に異常が発見された場合に、検査結果と共に異常の推定要因も表示パネル２１に表示するようにしたので、検査作業に従事する作業者が異常の発生要因をより容易かつ迅速に把握することができる。
【００３２】
また、本実施の形態では、コンパクトフラッシュ（登録商標）などの追記可能なメモリ１５に、検査装置１００の検査動作用のプログラムＰを記憶させるようにしたので、ガスメータ２の機種や検査項目などが変更された場合に、既存の検査装置１００を変更内容に対応した他の検査装置に交換することを要せず、その変更内容に対応するようにプログラムＰを書き換えるだけでよい。しかも、メモリ１５を着脱させることにより、そのメモリ１５を簡単に交換可能である。したがって、ガスメータ２の機種や検査項目などの変更時に迅速かつ容易に対応することができる。
【００３３】
また、本実施の形態では、表示パネル２１に表示される情報に対応した音声ガイドをスピーカ２７から出力するようにしたので、表示パネル２１を使用して検査結果を視覚的に認識した上、さらに音声ガイドに基づいて聴覚的にも認識することが可能になる。したがって、検査結果をより容易かつ正確に把握することができる。
【００３４】
以上、実施の形態を挙げて本発明を説明してきたが、本発明は上記実施の形態において説明したものに限定されるものではなく、種々の変形が可能である。
【００３５】
具体的には、例えば、上記実施の形態では、表示パネル２１が液晶パネルにより構成されるようにしたが、必ずしもこれに限られるものではなく、例えば、表示パネル２１が有機ＥＬ（Ｅｌｅｃｔｒｏ  Ｌｕｍｉｎｅｓｃｅｎｃｅ）パネルなどの他のパネルにより構成されるようにしてもよい。
【００３６】
また、上記実施の形態では、ボタン方式の操作機構を備えるように検査装置１００を構成したが、必ずしもこれに限られるものではなく、例えば、タッチパネル方式の操作機構を備えるように検査装置１００を構成してもよい。
【００３７】
また、上記実施の形態では、通信線２００を使用した有線方式となるように検査装置１００を構成したが、必ずしもこれに限られるものではなく、例えば、通信線２００を使用しない無線方式となるように検査装置１００を構成してもよい。
【００３８】
また、上記実施の形態では、内蔵型の電源であるバッテリ１４を備え、このバッテリ１４を使用して検査装置１００が稼働するようにしたが、必ずしもこれに限られるものではなく、例えば、図１４に示したように、バッテリ１４に代えて外部電力供給部２９を備え、この外部電力供給部２９を介して外部から電力が供給されることにより検査装置１００が稼働するようにしてもよい。この外部電力供給部２９は、例えば、商用電源に接続するためのコンセントを含む電源コードや、外部バッテリに接続するための接続コードなどである。
【００３９】
また、上記実施の形態では、本発明をガスメータ２に適用した場合について説明したが、必ずしもこれに限られるものではなく、例えば、本発明を他のメータ、具体的には水道メータや電力メータなどに適用することも可能である。この場合においても、上記実施の形態と同様の効果を得ることができる。
【００４０】
【発明の効果】
以上説明したように、本発明に係る検査装置によれば、通信しながらメータを検査し、その検査結果を表示するようにしたので、メータの検査を容易、迅速かつ正確に行うことができる。
【００４１】
上記の他、本発明に係る検査装置では、複数の検査項目に基づく検査を一括して行うようにすれば、メータの検査をより容易かつ迅速に行うことができる。
【００４２】
また、本発明に係る検査装置では、複数の検査項目のうち、指定された検査項目に基づく検査のみを選択的に行うようにすれば、所望の検査のみを選択的に行うことができる。
【００４３】
また、本発明に係る検査装置では、検査結果の中に異常を示す検査結果が含まれているときに、検査結果と共に異常の状態およびその異常の推定要因を表示するようにすれば、異常の発生要因をより容易かつ迅速に把握することができる。
【００４４】
また、本発明に係る検査装置では、メータの設定情報を読み出し、その設定情報を表示するようにすれば、メータの設定情報を容易かつ迅速に把握することができる。
【００４５】
また、本発明に係る検査装置では、設定情報の中に初期設定から変更された設定情報が含まれているときに、その初期設定から変更された設定情報のみを選択的に表示するようにすれば、メータの実使用上の不具合を誘発し得る設定情報の変更を容易に把握することができる。
【００４６】
また、本発明に係る検査装置では、検査動作用のプログラムを着脱かつ追記可能な記憶手段に記憶させるようにすれば、メータの機種や検査項目などの変更時に迅速かつ容易に対応することができる。
【００４７】
また、本発明に係る検査装置では、表示手段に表示される情報に対応した音声ガイドを出力するようにすれば、検査結果をより容易かつ正確に把握することができる。
【図面の簡単な説明】
【図１】本発明の一実施の形態に係る検査装置の外観構成を表す図である。
【図２】図１に示した検査装置の詳細な構成を表すブロック図である。
【図３】図１に示した検査装置の動作の流れを説明するための流れ図である。
【図４】一括検査時に表示パネルに表示される表示画面（異常なし）を表す図である。
【図５】一括検査時に表示パネルに表示される表示画面（異常あり）を表す図である。
【図６】設定情報の読み出し時に表示パネルに表示される表示画面（初期設定から変更なし）を表す図である。
【図７】設定情報の読み出し時に表示パネルに表示される表示画面（初期設定から変更あり）を表す図である。
【図８】設定情報の読み出し時に表示パネルに表示される他の表示画面（初期設定から変更なし）を表す図である。
【図９】設定情報の読み出し時に表示パネルに表示される他の表示画面（初期設定から変更あり）を表す図である。
【図１０】手動検査時に表示パネルに表示される表示画面を表す図である。
【図１１】図１０に続く表示画面を表す図である。
【図１２】図１１に続く表示画面（異常なし）を表す図である。
【図１３】図１１に続く表示画面（異常あり）を表す図である。
【図１４】図２示した検査装置の構成に関する変形例を表すブロック図である。
【符号の説明】
１…消費者宅、２…ガスメータ、１０…筐体、１１…マイコン、１２，１５…メモリ、１３…通信Ｉ／Ｆ、１４…バッテリ、２１…表示パネル、２２…カーソルボタン、２３…実行ボタン、２４…検査ボタン、２５…読出ボタン、２６…手動ボタン、２７…スピーカ、２８…装着口、２９…外部電力供給部、１００…検査装置、２００…通信線、Ｃ…カーソル、Ｆ…設定情報、Ｐ…プログラム。
【図１】
2004279185.tif 000003
【図２】
2004279185.tif 000004
【図３】
2004279185.tif 000005
【図４】
2004279185.tif 000006
【図５】
2004279185.tif 000007
【図６】
2004279185.tif 000008
【図７】
2004279185.tif 000009
【図８】
2004279185.tif 000010
【図９】
2004279185.tif 000011
【図１０】
2004279185.tif 000012
【図１１】
2004279185.tif 000013
【図１２】
2004279185.tif 000014
【図１３】
2004279185.tif 000015
【図１４】
2004279185.tif 000016